(57)【要約】【課題】本発明は、吸収速度及び拡散性等の吸収性能に優れた吸収性物品を提供することを目的とする。【解決手段】吸収体３０の少なくともクロッチ部には、フラッフパルプ及び高吸収性ポリマーを含まず、吸収体３０の長手方向に伸びる左右一対の線状のスリット部３１を吸収体３０の幅方向略中央部に二本設け、上層吸収体３０１の左右一対のスリット部３１１と、上層吸収体３０１と厚さ方向で対応する、下層吸収体３０２の左右一対のスリット部３１２とを、吸収体３０の厚さ方向で少なくとも一部が重なるように配置し、吸収体３０の少なくとも上層吸収体３０１には、略六角形のハニカム状のエンボスパターン３２を設け、エンボスパターン３２を構成する略六角形構造３２１の幅方向の寸法に対する、吸収体３０の少なくとも上層吸収体３０１に配置された左右一対のスリット部３１１の幅方向の間隔の比率が、７０％以上１５０％以下である吸収性物品１である。【選択図】図１
2018075141.tif 000002
【特許請求の範囲】
【請求項１】
液透過性のトップシートと、液不透過性のバックシートと、トップシート及びバックシートの間に配置された吸収体と、を有する吸収性物品であって、
前記吸収体は、腹側部、背中側部及び腹側部と背中側部の間のクロッチ部を有し、肌当接面側に位置する上層吸収体と、非肌当接面側に位置する下層吸収体の二層からなり、
前記吸収体の少なくとも前記クロッチ部には、前記吸収体の長手方向に伸びる左右一対の線状のスリット部を前記吸収体の幅方向略中央部に二本設け、
前記スリット部は、フラッフパルプ及び高吸収性ポリマーを含まず、
前記上層吸収体の左右一対のスリット部と、前記上層吸収体と厚さ方向で対応する、前記下層吸収体の左右一対のスリット部とを、前記吸収体の厚さ方向で少なくとも一部が重なるように配置し、
前記吸収体の少なくとも上層吸収体には、略六角形のハニカム状のエンボスパターンを設け、
前記エンボスパターンを構成する略六角形構造の幅方向の寸法に対する、前記吸収体の少なくとも前記上層吸収体に配置された左右一対の前記スリット部の幅方向の間隔の比率である、スリット間隔／エンボスパターン幅×１００（％）が、７０％以上１５０％以下である吸収性物品。
【請求項２】
前記上層吸収体において、高吸収性ポリマーの重量に対する、フラッフパルプの重量の比率であるフラッフパルプの重量／高吸収性ポリマーの重量×１００（％）が、２４０％以上３２０％以下であり、同様に前記下層吸収体において、高吸収性ポリマーの重量に対する、フラッフパルプの重量の比率（％）が１５０％以上２００％以下である、請求項１に記載の吸収性物品。
【請求項３】
前記上層吸収体及び前記下層吸収体のそれぞれのスリット部は、長手方向の寸法が前記上層吸収体又は前記下層吸収体の長手方向の全長に対して２０％以上５０％以下であり、幅方向の寸法が前記上層吸収体又は前記下層吸収体の幅方向の最長幅に対して２％以上６％以下であり、
前記上層吸収体及び前記下層吸収体のそれぞれのスリット部の幅方向の間隔であるスリット間隔は、前記上層吸収体又は前記下層吸収体の幅方向の最長幅に対して３％以上１５％以下である、請求項１又は２に記載の吸収性物品。
【請求項４】
前記下層吸収体のスリット部の幅方向のそれぞれの寸法が、前記上層吸収体のスリット部の幅方向のそれぞれの寸法より広い、請求項１から３のいずれか一項に記載の吸収性物品。
【請求項５】
前記エンボスパターンを構成する略六角形構造は、幅方向の寸法が１０ｍｍ以上４０ｍｍ以下であり、長手方向の寸法が２０ｍｍ以上４５ｍｍ以下である請求項１から４のいずれか一項に記載の吸収性物品。
【請求項６】
繰り返し吸収速度の７回の合計が、２００秒以下である、請求項１から５のいずれか一項に記載の吸収性物品。
【請求項７】
繰り返し吸収速度の７回の測定後における液拡散距離が、９０％以上である、請求項６に記載の吸収性物品。
【発明の詳細な説明】
【技術分野】
【０００１】
本発明は、軽失禁パッド、パンツ型紙おむつ、テープ止め紙おむつ等の吸収性物品で、特に比較的大型の紙おむつに関する。
【背景技術】
【０００２】
一般的に、軽失禁パッド、パンツ型紙おむつ、テープ止め紙おむつ等の吸収性物品は、液透過性のトップシートと、液不透過性のバックシートと、両シートの間に配置された吸収体と、で構成されている。これにより、尿等の体液は、トップシートを通って吸収体に吸収され、バックシートにより外部へ漏れないようになっている。このような吸収性物品には、体液の吸収性の向上、着用者の装着感の向上、漏れ防止等を図るために、様々な工夫がなされている。
【０００３】
特許文献１には、吸液時や外力を受けたときにも凹溝の効果を維持し、吸収スピードを低下させないとともに、装着感の悪化を防止するために、圧搾によることなく凹溝状又はスリット状に形成した吸収体凹部を備え、透液性表面シートの表面側からのエンボスにより、吸収体凹部の内部に吸収体凹部に沿って、吸収体凹部の溝幅より小さなエンボス幅で付与されたエンボス部を設けた吸収性物品が開示されている。
【０００４】
特許文献２には、液体の拡散性が高くＳＡＰによって効果的に尿を吸収することを目的に、上層吸収体に上側開口部を設け、下層吸収体に長手方向に延び上側開口部と少なくとも部分的に重なる下側開口部を設け、上層吸収体と下層吸収体の間に、複数の高吸水性ポリマー（ＳＡＰ）を、少なくとも上側開口部と下側開口部とが重なる開口貫通部分の幅方向の左右両側に形成したＳＡＰ層を設けた吸収性物品が開示されている。
【先行技術文献】
【特許文献】
【０００５】
【特許文献１】特開２０１５−４７４３２号公報
【特許文献２】特開２０１６−１４０５５９号公報
【発明の概要】
【発明が解決しようとする課題】
【０００６】
ここで、特許文献１及び特許文献２では、吸収体にスリットを設けることで、吸収体内での体液の拡散経路を向上させているが、吸収体が二層からなる場合、及び各吸収体にスリットを複数設ける場合、各吸収体における厚さ方向のスリットの配置や、各スリットの幅方向の間隔等を調整しないと、吸収速度等の吸収性能に問題が生じてしまう場合がある。一方で、吸収体にスリットを設けない場合にも、吸収性ポリマーが体液を吸収して膨潤すると、吸収体内で体液が拡散する経路が遮断されてしまうため、吸収速度が遅くなる場合があり、さらに拡散性にも問題が生じてしまう場合がある。
【０００７】
したがって、本発明は、吸収速度及び拡散性等の吸収性能に優れた吸収性物品を提供することを目的とする。
【課題を解決するための手段】
【０００８】
本発明者らは、上記課題に鑑み、鋭意研究を行った。その結果、上層吸収体及び下層吸収体の二層からなる吸収体の少なくともクロッチ部に所定のスリット部を設け、吸収体のうち少なくとも上層吸収体に所定のエンボスパターンを設け、スリット部とエンボスパターンとを所定の数値範囲とすることで、上記課題を解決できることを見出し、本発明を完成するに至った。具体的には、本発明は以下のものを提供する。
（１）本発明の実施形態は、液透過性のトップシートと、液不透過性のバックシートと、トップシート及びバックシートの間に配置された吸収体と、を有する吸収性物品であって、前記吸収体は、腹側部、背中側部及び腹側部と背中側部の間のクロッチ部を有し、肌当接面側に位置する上層吸収体と、非肌当接面側に位置する下層吸収体の二層からなり、前記吸収体の少なくとも前記クロッチ部には、前記吸収体の長手方向に伸びる左右一対の線状のスリット部を前記吸収体の幅方向略中央部に二本設け、前記スリット部は、フラッフパルプ及び高吸収性ポリマーを含まず、前記上層吸収体の左右一対のスリット部と、前記上層吸収体と厚さ方向で対応する、前記下層吸収体の左右一対のスリット部とを、前記吸収体の厚さ方向で少なくとも一部が重なるように配置し、前記吸収体の少なくとも上層吸収体には、略六角形のハニカム状のエンボスパターンを設け、前記エンボスパターンを構成する略六角形構造の幅方向の寸法に対する、前記吸収体の少なくとも前記上層吸収体に配置された左右一対の前記スリット部の幅方向の間隔の比率である、スリット間隔／エンボスパターン幅×１００（％）が、７０％以上１５０％以下である吸収性物品である。
（２）前記（１）に記載の吸収性物品において、前記上層吸収体において、高吸収性ポリマーの重量に対する、フラッフパルプの重量の比率である、フラッフパルプの重量／高吸収性ポリマーの重量×１００（％）が、２４０％以上３２０％以下であり、同様に前記下層吸収体において、高吸収性ポリマーの重量に対する、フラッフパルプの重量の比率（％）が１５０％以上２００％以下であってもよい。
（３）前記（１）又は（２）に記載の吸収性物品において、前記上層吸収体及び前記下層吸収体のそれぞれのスリット部は、長手方向の寸法が前記上層吸収体又は前記下層吸収体の長手方向の全長に対して２０％以上５０％以下であり、幅方向の寸法が前記上層吸収体又は前記下層吸収体の幅方向の最長幅に対して２％以上６％以下であり、前記上層吸収体及び前記下層吸収体のそれぞれのスリット部の幅方向の間隔であるスリット間隔は、前記上層吸収体又は前記下層吸収体の幅方向の最長幅に対して３％以上１５％以下であってもよい。
（４）前記（１）から（３）のいずれかに記載の吸収性物品において、前記下層吸収体のスリット部の幅方向のそれぞれの寸法が、前記上層吸収体のスリット部の幅方向のそれぞれの寸法より広くてもよい。
（５）前記（１）から（４）のいずれかに記載の吸収性物品において、前記エンボスパターンを構成する略六角形構造は、幅方向の寸法が１０ｍｍ以上４０ｍｍ以下であり、長手方向の寸法が２０ｍｍ以上４５ｍｍ以下であってもよい。
（６）前記（１）から（５）のいずれかに記載の吸収性物品において、繰り返し吸収速度の７回の合計が、２００秒以下であってもよい。
（７）前記（６）に記載の吸収性物品において、繰り返し吸収速度の７回の測定後における液拡散距離が、９０％以上であってもよい。
【発明の効果】
【０００９】
本発明の吸収性物品は、上層吸収体及び下層吸収体の２層からなる吸収体の少なくともクロッチ部に、吸収体の長手方向に伸びる左右一対の線状のスリット部を吸収体の幅方向中央部に設け、上層吸収体の左右一対のスリット部と、上層吸収体と厚さ方向で対応する、下層吸収体の左右一対のスリット部とを、吸収体の厚さ方向で少なくとも一部が重なるように配置している。これにより、体液の吸収速度が良好な吸収性物品とすることができる。また、本発明の吸収性物品は、吸収体の少なくとも上層吸収体には、略六角形のハニカム状のエンボスパターンを設けている。これにより、吸収体における体液の拡散性が良好な吸収性物品とすることができる。さらに、本発明の吸収性物品は、エンボスパターンを構成する略六角形構造の幅方向の寸法に対する、吸収体の少なくとも上層吸収体に配置された左右一対のスリット部の幅方向の間隔の比率である、スリット間隔／エンボスパターン幅×１００（％）が、７０％以上１５０％以下である。これにより、吸収速度と拡散性が良好であり、繰り返し吸収速度にも優れた吸収性物品とすることができる。
【図面の簡単な説明】
【００１０】
【図１】本発明の実施形態に係る吸収性物品をトップシート側から見た平面図である。
【図２】本発明の実施形態に係る吸収性物品において、上層吸収体のクロッチ部のスリット部とエンボスパターンの構造を説明するための構造説明図である。
【図３】図１及び図２のＡ−Ａ線における吸収性物品の断面を例示するための略示断面図である。
【図４】本発明の実施形態に係る吸収性物品の吸収体におけるエンボスパターンの概略図である。
【図５】繰り返し吸収速度の評価のための試験装置を示す図面である。
【図６】繰り返し吸収速度の評価の結果を示すグラフである。
【発明を実施するための形態】
【００１１】
以下に本発明の実施形態について詳細に説明するが、これらは例示の目的で掲げたものでこれらにより本発明を限定するものではない。なお、実施形態の説明の全体を通して同じ要素には同じ符号を付している。また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１としては、ベビー用又は成人用を問わず、軽失禁パッド、パンツ型紙おむつ、テープ止め紙おむつが例示されるが、これに限定されるものではなく、その他の吸収性物品であってもよい。
【００１２】
［吸収性物品］
図１は、本発明の実施形態に係る吸収性物品１をトップシート２０側から見た平面図である。図１に示すように、吸収性物品１は、肌当接面側に配された液透過性のトップシート２０と、トップシート２０に対向して非肌当接面側に配置された液不透過性のバックシートと、トップシート２０とバックシートとの間に配置された吸収体３０と、を備える。これにより、吸収体３０は、トップシート２０とバックシートの間に挟まれた構造となっている。なお、吸収体３０に設けられたスリット部３１とエンボスパターン３２については、破線で示しているが、後述する所定の構成を備えている。
【００１３】
また、吸収性物品１には、使用者の排泄した体液の横漏れを防止するため、吸収性物品１の長手方向に沿って、トップシート２０上に、立体ギャザー用弾性部材を有する一対の立体ギャザーを備えていてもよい（図示省略）。吸収性物品１の幅方向における立体ギャザーの外端は、バックシートに固定され、その内端はトップシート２０に固着され、その中央はトップシート２０に固定されない自由端となるように、立体ギャザーシートが配される。立体ギャザー用弾性部材を長手方向に沿って設けることで、立体ギャザーが起立性を有し、着用者の体型に合わせて変形可能なものとなる。立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００１４】
＜トップシート＞
トップシート２０は、体液が吸収体３０へと移動するような液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２０には、ローション、酸化防止剤、抗炎症成分、ｐＨ調整剤、抗菌剤、保湿剤等を含有させてもよい。
【００１５】
強度、加工性及び液戻り量の点から、トップシート２０の坪量は、１８ｇ／ｍ２以上４０ｇ／ｍ２以下であることが好ましい。トップシート２０の形状としては特に制限はないが、漏れがないように体液を吸収体３０へと誘導するために必要とされる、吸収体３０を覆う形状であればよい。
【００１６】
＜バックシート＞
バックシートは、吸収体３０が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００１７】
強度及び加工性の点から、バックシートの坪量は、１５ｇ／ｍ２以上４０ｇ／ｍ２以下であることが好ましい。また、装着時の蒸れを防止するため、バックシートには、通気性を持たせることが好ましい。バックシートに通気性を備えさせるためには、例えば、基材の樹脂フィルムにフィラーを配合したり、バックシートにエンボス加工を施したりすればよい。なお、フィラーとしては炭酸カルシウムを挙げることができ、その配合方法は、公知の方法を制限なく行うことができる。
【００１８】
＜吸収体＞
図１に示すように、本発明の吸収性物品１において、吸収体３０は、腹側部と、クロッチ部と、背中側部とを有する。
【００１９】
（上層吸収体及び下層吸収体）
本発明の吸収性物品１は、肌当接面側に位置する上層吸収体３０１と、非肌当接面側に位置する下層吸収体３０２からの二層からなる。
【００２０】
図２に示すように、吸収体３０の長手方向の寸法Ｌ０は、３５０ｍｍ以上１０００ｍｍ以下であることが好ましく、４００ｍｍ以上９５０ｍｍ以下であることがより好ましい。また、吸収体３０の幅方向の最長幅の寸法Ｗ０は、１００ｍｍ以上６００ｍｍ以下であることが好ましく、１４０ｍｍ以上５２０ｍｍ以下であることがより好ましい。
【００２１】
また、上層吸収体３０１の長手方向の寸法は、３５０ｍｍ以上１０００ｍｍ以下であることが好ましく、４００ｍｍ以上９５０ｍｍ以下であることがより好ましい。下層吸収体３０２の長手方向の寸法は、３５０ｍｍ以上１０００ｍｍ以下であることが好ましく、４００ｍｍ以上９５０ｍｍ以下であることがより好ましい。なお、上層吸収体３０１と下層吸収体３０２の長手方向の寸法は同一であることが好ましい。
【００２２】
上層吸収体３０１の幅方向の寸法は、１００ｍｍ以上６００ｍｍ以下であることが好ましく、１４０ｍｍ以上５２０ｍｍ以下であることがより好ましい。下層吸収体３０２の幅方向の寸法は、８０ｍｍ以上５５０ｍｍ以下であることが好ましく、９０ｍｍ以上５００ｍｍ以下であることがより好ましい。なお、上層吸収体の３０１の幅方向の寸法は、下層吸収体３０２の幅方向の寸法よりも大きいことが好ましい。
【００２３】
（吸収性繊維）
吸収体３０は、基材としての吸収性繊維と、高吸収性ポリマー（ＳＡＰ）と、を含有する。上層吸収体３０１及び下層吸収体３０２のそれぞれの全体の坪量は、１５０ｇ／ｍ２以上６００ｇ／ｍ２以下であることが好ましく、２００ｇ／ｍ２以上４００ｇ／ｍ２以下であることがより好ましい。
【００２４】
吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体３０に、基材としての吸収性繊維にフラッフパルプを用いた場合、吸収繊維の坪量は、上層吸収体３０１の全体で、１００ｇ／ｍ２以上５００ｇ／ｍ２以下であることが好ましく、１００ｇ／ｍ２以上３４０ｇ／ｍ２以下であることがより好ましく、下層吸収体３０２の全体で、１００ｇ／ｍ２以上５５０ｇ／ｍ２以下であることが好ましく、２００ｇ／ｍ２以上４００ｇ／ｍ２以下であることがより好ましい。これにより、肌触りを損なわずに、より多くの体液を吸収させることができる。
【００２５】
（高吸収性ポリマー）
吸収体３０の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００２６】
吸収体３０に含有されるＳＡＰの坪量は、上層吸収体３０１の全体で、５０ｇ／ｍ２以上５００ｇ／ｍ２以下であることが好ましく、８０ｇ／ｍ２以上４００ｇ／ｍ２以下であることがより好ましく、下層吸収体３０２の全体で、５０ｇ／ｍ２以上５００ｇ／ｍ２以下であることが好ましく、１００ｇ／ｍ２以上４３０ｇ／ｍ２以下であることがより好ましい。上記の数値範囲内とすることで、吸収体３０におけるゲルブロッキングを防止し、かつ、吸収体３０において多量の体液を吸収させることができる。
【００２７】
また、上層吸収体３０１において、高吸収性ポリマーの重量に対する、フラッフパルプの重量の比率である、フラッフパルプの重量／高吸収性ポリマーの重量×１００（％）が、２４０％以上３２０％以下であることが好ましく、２７０％以上２９０％以下であることがより好ましい。そして、同様に下層吸収体３０２において、高吸収性ポリマーの重量に対する、フラッフパルプの重量の比率（％）が１５０％以上２００％以下であることが好ましく、１７０％以上１９５％以下であることがより好ましい。
【００２８】
吸収体３０において、吸収性繊維及びＳＡＰの形態は、吸収性繊維中にＳＡＰ粒子を混合して形成したもの、又は吸収性繊維間にＳＡＰ粒子を固着したＳＡＰシートであることが好ましい。また、ＳＡＰ粒子の漏洩防止や吸収体３０の形状の安定化の目的から、吸収体３０をキャリアシートに包んでもよい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２９】
（スリット部）
図１及び図２に示すように、本発明の吸収性物品１は、吸収体３０の少なくともクロッチ部には、吸収体３０の長手方向に伸びる左右一対の線状のスリット部３１を吸収体３０の幅方向略中央部に二本設けている。これにより、吸収体３０内で体液が拡散する経路を確保することができ、吸収速度に優れた吸収性物品１とすることができる。なお、図１においては、トップシート２０側から見た平面図において、平面上には表れない、吸収体３０に設けられるスリット部３１を破線で図示した。
【００３０】
スリット部３１は、フラッフパルプ及び高吸収性ポリマーを含まず、吸収体３０の厚さ方向において吸収体３０を貫通している。
【００３１】
図３に示すとおり、本発明の吸収性物品１は、上層吸収体３０１の左右一対のスリット部３１１と、上層吸収体３０１と厚さ方向で対応する、下層吸収体３０２の左右一対のスリット部３１２とを、吸収体３０の厚さ方向で少なくとも一部が重なるように配置している。また、下層吸収体３０２のスリット部３１２の幅方向のそれぞれの寸法が、上層吸収体３０１のスリット部３１１の幅方向のそれぞれの寸法より広いことが好ましい。これにより、吸収体３０が体液を吸収しやすい構造となり、吸収速度に優れた吸収性物品１とすることができる。
【００３２】
上層吸収体３０１及び下層吸収体３０２のそれぞれのスリット部３１は、長手方向の寸法が上層吸収体３０１又は下層吸収体３０２の長手方向の全長に対して２０％以上５０％以下であることが好ましく、２５％以上４５％以下であることがより好ましい。
【００３３】
また、上層吸収体３０１及び下層吸収体３０２のそれぞれのスリット部３１は、幅方向の寸法が上層吸収体３０１又は下層吸収体３０２の幅方向の最長幅に対して２％以上６％以下であることが好ましく、３％以上５％以下であることがより好ましい。
【００３４】
また、上層吸収体３０１及び下層吸収体３０２のそれぞれのスリット部３１は、幅方向の間隔であるスリット間隔Ｄ１及びスリット間隔Ｄ２が、上層吸収体３０１又は下層吸収体３０２の幅方向の最長幅に対して３％以上１５％以下であることが好ましく、５％以上１３％以下であることがより好ましい。
【００３５】
上層吸収体３０１及び下層吸収体３０２のそれぞれのスリット部３１を上記の数値範囲内とすることにより、吸収体３０内で体液が拡散する経路を確保することができ、吸収速度に優れた吸収性物品１とすることができる。
【００３６】
上層吸収体３０１のそれぞれのスリット部３１１の長手方向の寸法Ｌ１は、７０ｍｍ以上５００ｍｍ以下であることが好ましく、１００ｍｍ以上４２８ｍｍ以下であることがより好ましい。また、上層吸収体３０１のそれぞれのスリット部３１１の幅方向の寸法Ｗ１は、７ｍｍ以上６０ｍｍ以下であることが好ましく、１２ｍｍ以上４８ｍｍ以下であることがより好ましい。また、上層吸収体３０１のそれぞれのスリット部３１１のスリット間隔Ｄ１は、１０ｍｍ以上９０ｍｍ以下であることが好ましく、１５ｍｍ以上７５ｍｍ以下であることがより好ましい。
【００３７】
下層吸収体３０２のそれぞれのスリット部３１２の長手方向の寸法は、２０ｍｍ以上３００ｍｍ以下であることが好ましく、３５ｍｍ以上２３４ｍｍ以下であることがより好ましい。また、下層吸収体３０２のそれぞれのスリット部３１２の幅方向の寸法Ｗ２は、６ｍｍ以上８２．５ｍｍ以下であることが好ましく、７ｍｍ以上６５ｍｍ以下であることがより好ましい。また、下層吸収体３０２のそれぞれのスリット部３１２のスリット間隔Ｄ２は、１５ｍｍ以上７５ｍｍ以下であることが好ましく、２０ｍｍ以上６０ｍｍ以下であることがより好ましい。
【００３８】
（エンボスパターン）
図１から図４に示すように、本発明の吸収性物品１は、吸収体３０の少なくとも上層吸収体３０１には、略六角形のハニカム状のエンボスパターン３２を設けている。これにより、吸収体３０における体液の拡散性が良好な吸収性物品１とすることができる。なお、図１においては、トップシート２０側から見た平面図において、平面上には表れない、吸収体３０に設けられる、略六角形のハニカム状のエンボスパターン３２を破線で図示した。
【００３９】
なお、吸収体３０の下層吸収体３０２にも略六角形のハニカム状のエンボスパターン３２を設ける場合には、特に述べない限り、上層吸収体３０１と同様の態様で設けることが好ましい。
【００４０】
図２においては、吸収体３０に設けられる、略六角形のハニカム状のエンボスパターン３２を、スリット部３１の長手方向の寸法部分のみ示したものである。図４に示すように、エンボスパターン３２を構成する略六角形構造３２１は、幅方向の寸法Ｗ３が１０ｍｍ以上４０ｍｍ以下であることが好ましく、１２ｍｍ以上３０ｍｍ以下であることがより好ましい。また、エンボスパターン３２を構成する略六角形構造３２１は、長手方向の寸法Ｌ３が２０ｍｍ以上４５ｍｍ以下であることが好ましく、３０ｍｍ以上４０ｍｍ以下であることがより好ましい。これにより、吸収体３０における体液の拡散経路を確保することがき、吸収体３０における体液の拡散性が良好な吸収性物品１とすることができる。
【００４１】
また、図３及び図４に示すように、略六角形構造３２１のハニカム状のエンボスパターン３２は、略六角形構造３２１の周縁部３２２が凹形状であることが好ましく、略六角形構造３２１の中央部が凸形状であることが好ましい。これにより、凹形状部分において、吸収体３０における体液の拡散経路を確保することができ、吸収体３０における体液の拡散性が良好な吸収性物品１とすることができる。
【００４２】
略六角形構造３２１のハニカム状のエンボスパターン３２における周縁部３２２の幅である、略六角形構造３２１同士の間隔は、７ｍｍ以上５０ｍｍ以下であることが好ましく、１０ｍｍ以上４５ｍｍ以下であることがより好ましい。
【００４３】
図３及び図４に示すように、エンボスパターン３２を構成する略六角形構造３２１の幅方向の寸法Ｗ３に対する、吸収体３０の少なくとも上層吸収体３０１に配置された左右一対のスリット部３１１の幅方向の間隔Ｄ１の比率である、スリット間隔Ｄ１／エンボスパターン幅Ｗ３×１００（％）が、７０％以上１５０％以下であり、８５％以上１３０％以下であることが好ましい。これにより、スリット部３１による良好な吸収速度と、エンボスパターン３２による良好な拡散性との相乗効果によって、吸収速度と拡散性が良好であり、繰り返し吸収速度にも優れた吸収性物品１とすることができる。
【００４４】
エンボスパターン３２を構成する略六角形構造３２１は、略六角形構造以外にも、格子構造やダイヤモンド構造等のその他の多角形でもよく、それらの多角形の角がとれて丸形やなだらかになっていてもよく、エイコン（どんぐり）状等の丸型であってもよい。
【００４５】
［繰り返し吸収速度］
本発明の吸収性物品１は、繰り返し吸収速度の７回の合計が、２００秒以下であることが好ましく、１８５秒以下であることがより好ましい。これにより、吸収体３０における体液の吸収速度だけでなく、体液の繰り返しの吸収速度においても優れた吸収性物品１とすることができる。
【００４６】
本発明の吸収性物品１の繰り返し吸収速度は、以下のようにして測定する。
【００４７】
図５に示すように、吸収性物品１を、水平な平滑面に広げた状態で伸ばして固定し、吸収性物品１上に、中央部に注水用円筒部を有するアクリル板を、円筒部が吸収性物品１の吸収体３０におけるクロッチ部と厚さ方向で重なるように載せる。当該アクリル板は、長さ１４０ｍｍ、幅１００ｍｍであり、注水用円筒部は内径３６ｍｍ、外径４０ｍｍである。当該アクリル板に、重さ６８７ｇの錘を、注水用円筒部分を挟んでアクリル板の長さ方向に対称に２個置く。円筒部分より、１回あたり１５０ｍＬの生理食塩水を注水し、液面が吸収性物品１へ吸収されるまでの時間を計測する（１回目）。そして、吸収が完了した時点より３分経過後に再度１５０ｍＬの生理食塩水を注入し、同様に吸収するまでの時間を計測し（２回目）、さらに、３分経過後に再度１５０ｍＬの生理食塩水を注入し、同様に吸収するまでの時間を計測する（３回目）。これを７回繰り返し、７回の合計の時間を繰り返し吸収速度とする。
【００４８】
［液拡散距離］
本発明の吸収性物品１は、繰り返し吸収速度の７回の測定後における液拡散距離が、９０％以上であることが好ましく、９４％以上であることがより好ましい。これにより、吸収体３０における体液の拡散性に優れた吸収性物品１とすることができる。
【００４９】
本発明の吸収性物品１の液拡散距離は、以下のようにして測定する。
【００５０】
本発明の吸収性物品１の液拡散距離は、繰り返し吸収速度の７回の測定後において、吸収体３０の全長に対して、生理食塩水が吸収体３０に広がった長さ（拡散長）の比率であって、拡散長／吸収体全長×１００（％）で表される。
【００５１】
［液戻り量］
本発明の吸収性物品１の液戻り量は、６．５ｇ以下であることが好ましく、５．５ｇ以下であることがより好ましい。これにより、体液を吸収した吸収体３０が、吸収した体液を良好に保持し、液戻り量に優れた吸収性物品１とすることができる。
【００５２】
本発明の吸収性物品１の液戻り量は、以下のようにして測定する。
【００５３】
吸収性物品１を水平な平滑面に広げた状態で固定し、吸収性物品１の中央部に１５０ｍＬの生理食塩水を注入し、１０分経過後に１５０ｍＬの生理食塩水の２回目の注入をする。同様の注入操作を７回繰り返した後、あらかじめ重量を測定したろ紙（ＡＤＶＡＮＴＥＣ社製、Ｎｏ．２  ろ紙、直径５５ｍｍ）を注入部の中心に置き、ろ紙の上に６８７ｇの錘を載せる（圧力：３５ｇｆ／ｃｍ２）。錘を載せてから１分経過後に、ろ紙の重量を測定し、試験前後のろ紙の重量差（ｇ）を液戻り量とする。液戻り量の測定は、Ｎ＝１０サンプルについて行ったものの平均値とする。
【００５４】
［吸収性物品の製造方法］
吸収性物品１の製造方法は、周知の方法を採用することができ、例えば、（Ａ）吸収性繊維を高吸収性ポリマーとともに積繊して吸収体マットを作成し、吸収体３０を形成する工程、（Ｂ）集合ドラムにおいて、吸収体３０の上部にトップシート２０を、吸収体３０の下部にバックシートを配置し、各構成部材を固定・一体化する工程、（Ｃ）吸収性物品１の半製品をカッター装置により製品寸法でカットし、個々の吸収性物品１を切り離す工程、を有する製造方法等を挙げることができる。そして、本発明において吸収性物品１の吸収体３０を成形する際には、少なくとも上層吸収体３０１に所定のエンボスパターン３２を付与し、上層吸収体３０１及び下層吸収体３０２のクロッチ部に所定のスリット部３１を設ける工程を有していてもよい。
【実施例】
【００５５】
以下、本発明について、実施例を挙げて詳細に説明する。なお、本発明は、以下に示す実施例に何ら限定されるものではない。
【００５６】
＜実施例１＞
（吸収性物品の作製）
パルプシートを粉砕して解繊したフラッフパルプ３０ｇと高吸収性ポリマー１０ｇをともに積繊した上層吸収体マットを準備した。上層吸収体マットには、エンボスパターンにおける略六角形構造の幅方向の寸法が２７ｍｍ、長手方向の寸法が３６ｍｍである略六角形のハニカム状のエンボスパターンを設け、上層吸収体マットを長さ５５０ｍｍ、幅２８０ｍｍにカットし上層吸収体とした。そして、上層吸収体のクロッチ部に、幅方向の寸法が１５ｍｍ、長手方向の寸法が１４０ｍｍの左右一対のスリット部を上層吸収体の長手方向に直線状に二本設けた。一方で、パルプシートを粉砕して解繊したフラッフパルプ１６ｇと高吸収性ポリマー１０ｇをともに積繊した下層吸収体マットを準備し、下層吸収体マットを長さ５５０ｍｍ、幅２００ｍｍにカットし下層吸収体とした。そして、下層吸収体のクロッチ部に、幅方向の寸法が１５ｍｍ、長手方向の寸法が１４０ｍｍの左右一対のスリット部を下層吸収体の長手方向に直線状に二本設けた。上層吸収体のスリット部と下層吸収体のスリット部とを厚さ方向で全体が重なるように配置して積層するとともに、トップシート及びバックシートとともに積層し、長さ６３０ｍｍ、幅３２０ｍｍの吸収性物品を作製し、実施例１のサンプルとした。なお、トップシートには、エアスルー不織布（坪量１８ｇ／ｍ２）を用い、バックシートには、通気性ポリエチレンフィルム（坪量１８ｇ／ｍ２）を用いた。
【００５７】
得られた吸収性物品の繰り返し吸収速度、拡散距離及び液戻り量については、上述のとおりに測定し、以下に従って評価した。また、べたつき感を以下に従って評価した。
【００５８】
（繰り返し吸収速度）
上述の測定方法に従って得られた測定結果から、繰り返し吸収速度の７回の合計が、２００秒以下であるときを「○」、２０１秒以上２５０秒以下であるときを「△」、２５１秒以上であるときを「×」とした。
【００５９】
（液拡散距離）
上述の測定方法に従って得られた測定結果から、液拡散距離が、９０％以上であるときを「○」、８０％以上８９％以下であるときを「△」、７９％以下であるときを「×」とした。
【００６０】
（液戻り量）
上述の測定方法に従って得られた測定結果から、液戻り量が、６．０ｇ以下のときを「○」、６．１ｇ以上８．０ｇ以下のときを「△」、８．１ｇ以上のときを「×」とした。なお、液戻り量が少ないほど吸収性能が優れた吸収性物品である。
【００６１】
（べたつき感）
８名のパネラーが、吸収性物品の装着時のべたつき感の官能評価をした。吸収性物品の装着後、チューブを用いて排尿口付近に、１回あたり１５０ｍＬの生理食塩水を１０分間隔で７回注入し、７回目の注入完了後１時間を過ごした後で、「べたつきがない」かの評価で、べたつき感の官能評価を行った。表２には、「べたつきがない」の評価が６人以上８人以下のときを「○」、「べたつきがない」の評価が３人以上５人以下のときを「△」、「べたつきがない」の評価が１人若しくは２人のとき又は「べたつきがない」の評価が一人もいないときを「×」とした。
【００６２】
作製した実施例１の吸収性物品の構成については、表１にまとめた。また、実施例１の吸収性物品の繰り返し吸収速度、液拡散距離、液戻り量及びべたつき感の測定結果・評価については、表２にまとめた。また、実施例１の吸収性物品の繰り返し吸収速度と、注水回数については、図６にまとめた。
【００６３】
＜比較例１及び比較例２＞
比較例１及び比較例２の吸収性物品の作製方法は、実施例１と同様に作製し、比較例１及び比較例２における各吸収性物品の吸収体の構成等は表１に示した。また、比較例１及び比較例２における各吸収性物品の繰り返し吸収速度、液拡散距離、液戻り量及びべたつき感の測定・評価は、実施例１と同様に行い、得られた測定結果・評価は表２に示した。また、比較例１及び比較例２における各吸収性物品の繰り返し吸収速度と、注水回数については、図６に示した。
【００６４】
【表１】
2018075141.tif 000003
【００６５】
【表２】
2018075141.tif 000004
【００６６】
実施例１に示すように、吸収体のクロッチ部に、吸収体の長手方向に伸びる左右一対の線状のスリット部を吸収体の幅方向略中央部に二本設けた吸収性物品において、エンボスパターンを構成する略六角形構造の幅方向の寸法に対する、上層吸収体に配置された左右一対のスリット部の幅方向の間隔の比率である、スリット間隔／エンボスパターン幅×１００（％）が、７０％以上１５０％以下であることによって、スリット部による良好な吸収速度と、エンボスパターンによる良好な拡散性との相乗効果によって、吸収速度と拡散性が良好であり、繰り返し吸収速度にも優れた、さらに、液戻り量やべたつき感にも優れた吸収性物品とすることができた。
【００６７】
一方で、スリット間隔／エンボスパターン幅×１００（％）が、１５０％を超えた比較例１や７０％未満である比較例２においては、スリット部による吸収速度と、エンボスパターンによる拡散性が両立できず、繰り返し吸収速度と拡散性が共に劣り、さらには液戻り量及びべたつき感にも劣る吸収性物品となった。
【符号の説明】
【００６８】
１      吸収性物品
２０    トップシート
３０    吸収体
３０１  上層吸収体
３０２  下層吸収体
３１    スリット部
３１１  上層吸収体のスリット部
３１２  下層吸収体のスリット部
３２    エンボスパターン
３２１  略六角形構造
３２２  周縁部
【図１】
2018075141.tif 000005
【図２】
2018075141.tif 000006
【図３】
2018075141.tif 000007
【図４】
2018075141.tif 000008
【図５】
2018075141.tif 000009
【図６】
2018075141.tif 000010